(57)【要約】【課題】食器の乾燥に加えて、消臭、除菌作用又は浮遊菌、静電気の除去作用が得られるマイナスイオンを、温風運転停止後、乾燥終了まで続く冷風運転の両領にわたって放出ができるようにする。【解決手段】乾燥器本体３に、発熱体５９、送風装置４９の外にマイナスイオン発生電極７１を設け、そのマイナスイオン発生電極７１によって、送風装置４９の温風運転及び運転停止後、乾燥終了まで続く冷風運転にわたってマイナスイオンを放出する。【選択図】      図１
2004180924.tif 000002
【特許請求の範囲】
【請求項１】
乾燥器本体に、少なくとも発熱体によって生成された温風を吹出口から吹出す温風運転と、発熱体がオフでフアンのみの運転により冷風を吹出口から吹出す冷風運転とを備えた送風装置と、マイナスイオンを庫内へ放出するマイナスイオン発生電極とを有し、マイナスイオン発生電極は、送風装置の温風運転停止後、乾燥終了時まで続く冷風運転にわたってマイナスイオンを放出する第１運転モードを有していることを特徴とする食器乾燥器。
【請求項２】
第１運転モードに代えてマイナスイオン発生電極は、送風装置の冷風運転時のみマイナスイオンを放出する第２運転モードを有していることを特徴とする請求項１記載の食器乾燥器。
【請求項３】
第１運転モードに代えてマイナスイオン発生電極は、送風装置の冷風運転停止時に、マイナスイオンを放出する単独運転モードを有していることを特徴とする請求項１記載の食器乾燥器。
【請求項４】
乾燥器本体に、食器からの水滴を受ける集水板を設け、その集水板を合成樹脂製としたことを特徴とする請求項３記載の食器乾燥器。
【発明の詳細な説明】
【０００１】
【発明の属する技術分野】
この発明は、食器の乾燥に適する食器乾燥器に関する。
【０００２】
【従来の技術】
一般に、洗浄した後の食器を乾燥させる食器乾燥器の概要は、温風を生成する発熱体と、発熱体によって生成された温風を庫内へ吹き出す吹出口へ向けて送風する送風装置とを有し、吹出口から食器へ向けて温風を吹き出すことで食器の乾燥が行なわれる構造となっている（特許文献１）。
【０００３】
【特許文献１】
特開２００２−１１２９４２号公報
【０００４】
【発明が解決しようとする課題】
食器は、吹出口から吹き出される温風によって乾燥が行なわれるようになるが、食器の衛生面の上から消臭，除菌作用も同時に得られることが望ましい。
【０００５】
この場合、特許文献１に示すように、食器を洗浄する際に、例えば、多数の球状トルマリンセラミックによって消臭，除菌作用を持たせた洗浄水を使用することで達成できるが、洗浄機能のない乾燥のみを目的とする食器乾燥器にあっては、消臭，除菌作用は望めない。
【０００６】
そこで、この発明は、食器の乾燥時に効率よく消臭，除菌作用等が併せて得られる食器乾燥器を提供することを目的としている。
【０００７】
【課題を解決するための手段】
前記目的を達成するために、この発明は第１に、乾燥器本体に、少なくとも発熱体によって生成された温風を吹出口から吹出す温風運転と、発熱体がオフでフアンのみの運転により冷風を吹出口から吹出す冷風運転とを備えた送風装置と、マイナスイオンを庫内へ放出するマイナスイオン発生電極とを有し、マイナスイオン発生電極は、送風装置の温風運転停止後、乾燥終了時まで続く冷風運転にわたってマイナスイオンを放出する運転モードを有していることを特徴とする。
【０００８】
これにより、温風運転から乾燥が終了する冷風運転にわたってマイナスイオンを放出することが可能となり、乾燥に加えて消臭，除菌作用等が併せて得られるようになる。
【０００９】
【発明の実施の形態】
以下、図１乃至図７の図面を参照しながらこの発明の実施の形態について具体的に説明する。
【００１０】
図１は洗浄機能のない乾燥機能のみの食器乾燥器１を示している。食器乾燥器１の乾燥器本体３は合成樹脂の材質で作られている。乾燥器本体３の底面には前後左右の４箇所に支脚５が設けられ、その支脚５により所定の場所に設置することが可能となっている。
【００１１】
乾燥器本体３の上方は円弧状の蓋７となっていて、内部が見える合成樹脂の材質で作られている。蓋７は固定蓋９と第１、第２可動蓋１１、１３とで構成されており、後方（図面右側）に位置するのが固定蓋９、中央と前方に位置するのが第１、第２可動蓋１１、１３となっている。前方の第１可動蓋１１には開閉用の取手１５が設けられている。
【００１２】
固定蓋９は、乾燥器本体３の両側部に設けられたヒンジ部材１７のヒンジピン１９によって両端支持されると共に、底部は乾燥器本体３の開口周縁２１に固定支持されている。
【００１３】
第１、第２可動蓋１１、１３は、前記ヒンジ部材１７のヒンジピン１９によって回動自在に両端支持されている。中央の第２可動蓋１３は全閉時において、前方のフランジ１３ａが第１可動蓋１１のフランジストッパ１１ａと、後方のフランジ１３ｂが固定蓋９のフランジストッパ９ａとそれぞれ係止することで固定支持され、第１可動蓋１１とは前方のフランジ１１ａとフランジストッパ１３ａとで一体の連動関係が確保されている。
【００１４】
したがって、取手１５を持って第１可動蓋１１を矢印の如く上方へ回動し、第２可動蓋１３と共に後部ストッパ２３に当るまで回動させることで、固定蓋９の外側に収まる大きな開口状態が確保されるようになっている。
【００１５】
中央の第２可動蓋１３は排気口２５を有し、排気口２５は、後述する吹出口２７のほぼ上方に位置するレイアウト構造となっていて、形状は縦長のスリット状に形成され、左右方向に所定の領域にわたって設けられている。
【００１６】
一方、乾燥器本体３内には、集水板２９が配置され、集水板２９の上方には食器かご３１が下方には前記吹出口２７を有する誘導ダクト３５がそれぞれ設けられている。
【００１７】
集水板２９は、合成樹脂材で作られた樹脂製シンクとなっていて、底部３７と底部３７から立上がる周壁部３９と周壁部３９から水平に屈曲された後、下方へ短く屈曲された周縁フランジ部４１とから成っている。周縁フランジ部４１は乾燥器本体３の前記開口周縁となる周縁取付枠体４３に対して上から着脱自在にセットされ、汚れた際には取外して洗えるようになっている。
【００１８】
集水板２９の底部３７の一部領域には上方から張り出す張り出し部４５と排水孔４７（図２鎖線）とがそれぞれ設けられている。
【００１９】
排水孔４７は下部に設けられた引出式の水受皿５０と連通し、食器等からの水滴は排水孔４７を介して水受皿５０に溜まるようになっている。
【００２０】
張り出し部４５は、図１に示すように底部に沿って流れる温風を上方の食器かご３１へ向けて案内する傾斜案内面４５ａを備え、内側は送風装置４９の配置スペースとなっている。したがって、上方に配置用のスペースが拡大し、送風装置４９を配置するための設計自由度の面で大変好ましいものとなっている。
【００２１】
食器かご３１は、図１に示すようにステンレス等の同一の材質により縦・横に枠組されることで形成され、第１食器かご５１と第２食器かご５３とで２段かごの構造となっている。
【００２２】
第１食器かご５１は、下方に配置されるメインの食器かごとなっており、周縁部５１ａは第１食器かご５１を構成するパイプで作られていて、第２食器かご５３をスライド自在に支持する支持部となっている。
【００２３】
第１食器かご５１は、係止段部５５が設けられ、係止段部５５を集水板２９の周縁フランジ部４１に載せることで、着脱自在にセット可能となっている。
【００２４】
この第１食器かご５１のセット時において、集水板２９の底部３７と第１食器かご５１の底面との間には所定寸法の風路５７が確保されるようになっている。
【００２５】
なお、第２食器かご５３は、第１食器かご５１の上に配置される収納容積の小さいサブの食器かごとなっている。
【００２６】
一方、誘導ダクト３５は温風を生成するヒータ等の発熱体５９と、前記した送風装置４９とを有し、前記誘導ダクト３５の吹出口２７にはマイナスイオン発生装置６９のマイナスイオン発生電極７１が設けられている。
【００２７】
送風装置４９は、駆動モータ６１とその駆動モータ６１によって回転動力が与えられるフアン６３とから成っている。
【００２８】
マイナスイオン発生電極７１は、正面の操作パネル６５に設けられた制御部７３からの信号に基づき吹出口２７からマイナスイオンを放出する運転モードを有している。
【００２９】
制御部７３は、前記送風装置４９を始めとして、発熱体５９，マイナスイオン発生装置６９とを組合せたオン・オフ制御が可能となっている。
【００３０】
具体的には、発熱体５９によって生成された温風を吹出口２７から吹出す温風運転と、発熱体５９がオフでフアン６３のみの運転により冷風を吹出口２７から吹出す冷風運転とに送風装置４９を制御する送風モードを有している。また、図４に示すように、送風装置４９の温風運転停止後、乾燥終了時まで続く冷風運転にまでまたがってマイナスイオン発生電極７１がマイナスイオンを放出するマイナスイオン第１運転モードと、図５に示すように、送風装置４９の冷風運転時のみマイナスイオン発生電極７１がマイナスイオンを放出するマイナスイオン第２運転モードと、図６に示すように、送風装置４９の送風運転停止時に、マイナスイオン発生電極７１がマイナスイオンを放出するマイナスイオン単独運転モードとを有している。
【００３１】
各モードは、制御部７３に設けられた複数（図面では１つだけ示す）の運転モードスイッチＳ１の選択操作によって切換え制御が可能となっている。
【００３２】
なお、吹出口２７は左右に分岐された横長の形状となっていて、一方の吹出口２７に、前記マイナスイオン発生電極７１が複数に分割されて設けられた構造となっている。
【００３３】
このように構成された食器乾燥器１によれば、制御部７３によって図４に示すようにマイナスイオン第１運転モードにすることで、食器の乾燥に加えて、消臭、除菌作用及び浮遊菌、静電気の除去作用が得られるマイナスイオンを、温風運転から乾燥終了まで続く冷風運転にわたって放出することが可能となる。
【００３４】
また、制御部７３によって図５に示すように、マイナスイオン第２運転モードにすることで、冷風運転時でもマイナスイオンを放出することが可能となり、冷風運転時でも消臭、除菌作用及び浮遊菌、静電気の除去作用が得られるようになる。
【００３５】
また、制御部７３によって図６に示すようにマイナスイオン単独運転モードにすることで、送風装置４９の運転停止時にあっても単独でマイナスイオンのみ放出することが可能となり、発熱体５９、送風装置４９の各運転モードに対応して常にマイナスイオンの放出が行なえるようになる。
【００３６】
この場合、無風状態となるマイナスイオン単独運転モードにおいて、集水板２９をステンレスから合成樹脂にかえた所、図７に示すように、時間の経過と共にマイナスイオンの放出量が多くなり、広範囲にわたってマイナスイオンの発生状態が得られることが実験の結果わかった。
【００３７】
なお、この実施形態にあっては、洗浄機能のない食器乾燥器について説明したが、洗浄機能付きの食器乾燥器に適用することも可能である。
【００３８】
また、本実施例にあっては第１運転モードと第２運転モードと単独運転モードの３つの運転モードを備えているが、必ずしも全ての運転モードを備えている必要がなく、例えば第１運転モードを備えずに第２運転モードを備えるものであっても良い。
【００３９】
【発明の効果】
以上、説明したように、この発明の食器乾燥器によれば、食器の乾燥に加えて、消臭、除菌作用及び浮遊菌、静電気の除去作用が得られるマイナスイオンを、温風運転・冷風運転の領域にわたって放出することができる。
【００４０】
また、冷風運転時、送風運転停止時にあってもマイナスイオンを単独で放出することができるようになり、衛生面の上からも大変好ましいものとなる。
【図面の簡単な説明】
【図１】この発明にかかる第１の実施形態を示した食器乾燥器の概要切断側面図。
【図２】誘導ダクトの配置を示した概要平面図。
【図３】食器乾燥器の概要切断正面図。
【図４】マイナスイオン第１運転モードのタイムチャート。
【図５】マイナスイオン第２運転モードのタイムチャート。
【図６】マイナスイオン単独運転モードのタイムチャート。
【図７】集水板のマイナスイオン発生状態を時間を追って測定した結果を示す説明図。
【符号の説明】
３  乾燥器本体
２７  吹出口
２９  集水板
４９  送風装置
５９  発熱体
６９  マイナスイオン発生装置
７１  マイナスイオン発生電極
【図１】
2004180924.tif 000003
【図２】
2004180924.tif 000004
【図３】
2004180924.tif 000005
【図４】
2004180924.tif 000006
【図５】
2004180924.tif 000007
【図６】
2004180924.tif 000008
【図７】
2004180924.tif 000009